(57)【要約】【課題】  従来、袋部材の表面積を有効に活用して吸引力の低下を防ぐために集塵室や蓋体の内壁に凸状のリブを設けて風の流れる空間を確保していたが、凸状のリブに直接、袋部材が当たるため袋部材が破損して塵埃が集塵室に漏れる危険性があった。【解決手段】  集塵室及び電動送風機を有する掃除機本体と、前記集塵室を開閉する蓋体と、該蓋体の裏面側に配置されたフィルターと、該フィルターを収納するフィルター保持部材を設け、前記フィルター保持部材に回動軸を設け、前記フィルター保持部材を前記蓋体に対して開閉自在に設けた。【選択図】  図１
2006204549.tif 000002
【特許請求の範囲】
【請求項１】
集塵室及び電動送風機を有する掃除機本体と、前記集塵室を開閉する蓋体と、該蓋体の裏面側に配置されたフィルターと、該フィルターを収納するフィルター保持部材を設け、
前記フィルター保持部材に回動軸を設け、前記フィルター保持部材を前記蓋体に対して開閉自在に設けたことを特徴とする電気掃除機。
【請求項２】
集塵室及び電動送風機を有する掃除機本体と、前記集塵室を開閉する蓋体と、該蓋体の裏面側に配置されたフィルターと、該フィルターを収納するフィルター保持部材を設け、
前記フィルター保持部材は、前記フィルターを収納するフィルター収納部と吸引風の流れる流路空間とを有し、前記フィルター保持部材の前記流路空間の入口面積を前記流路空間の出口面積よりも大きくしたことを特徴とする電気掃除機。
【請求項３】
請求項１または２において、
風の流れる方向における前記流路空間の長さを前記フィルター収納部の長さよりも長くしたことを特徴とする電気掃除機。
【請求項４】
請求項１から３のいずれかにおいて、
前記流路空間から吸引風が排出する排気口を複数個設けたことを特徴とする電気掃除機。
【請求項５】
請求項１から４のいずれかにおいて、
前記フィルター保持部材は、中央部が前記集塵室側に向かって膨らんだ略円弧形状であることを特徴とする電気掃除機。
【請求項６】
請求項１から５のいずれかににおいて、
前記フィルター保持部材の回動軸近傍に、該回動軸の軸方向の動きを規制する突起を設けたことを特徴とする電気掃除機。
【請求項７】
請求項１から６のいずれかにおいて、
前記フィルター保持部材は、前記蓋体よりも軟らかい軟質部材で形成されていることを特徴とする電気掃除機。
【請求項８】
請求項１から６のいずれかにおいて、
前記蓋体又は前記フィルター保持部材のうち少なくとも1つを透明又は半透明材料で成形したことを特徴とする電気掃除機。
【請求項９】
請求項１、３から６のいずれかにおいて、
前記フィルター保持部材に係止部を設け、前記蓋体の裏面には前記係止部と係合する係合部を設けたことを特徴とする電気掃除機。
【請求項１０】
請求項２、３から９のいずれかにおいて、
前記フィルター保持部材は、該フィルター保持部材の回動軸の周方に形成されたフィルター軸支持部と、フィルターを保持するフィルター押え部とを有し、前記フィルター軸支持部と前記フィルター押え部とは鈍角な位置に設けたことを特徴とする電気掃除機。
【発明の詳細な説明】
【技術分野】
【０００１】
本発明は、電気掃除機に関するものである。
【背景技術】
【０００２】
従来の電気掃除機は、集塵室に紙袋などの袋部材を設けて吸引した塵埃を集塵している。この塵埃が蓄積してくると袋部材は徐々に目詰まりを始めて、しだいに吸引力が低下してくる。このとき袋部材の内部の圧力よりも集塵室内部の圧力の方が負圧として大きいため、袋部材は集塵室や蓋体の内壁にはりついてしまい、風の流れる空間が減少して吸引力が低下する原因になっていた。これを解決するために特許文献1のような技術が提供されている。
この特許文献１によると袋部材の表面積を有効に活用して吸引力の低下を防ぐために集塵室や蓋体の内壁に凸状のリブ等を設けて、風の流れる空間を確保し、また、別体で袋部材を押えるなどして同様に風の流れる空間を確保している。
【０００３】
【特許文献１】特開2004-174046
【発明の開示】
【発明が解決しようとする課題】
【０００４】
しかしながら、上記従来技術においては、袋部材の表面積を有効に活用して吸引力の低下を防ぐために集塵室や蓋体の内壁に凸状のリブを設けたり、蓋体に別体で略リブ形状を形成した部材を設けるなどして風の流れる空間を確保していたが、それだけでは十分な流路を確保することが難しく、また蓋体に別体で設けた略リブ形状をした部材がお手入れの際に紛失したり、部材が着脱し難いという問題があった。
【０００５】
また、塵埃を通過した吸引風を清潔にするために、電動送風機の略上方にフィルターを設けていたが、積極的にフィルターに風を流すためには不向きであった。
【０００６】
本発明の目的は上記課題を解決し、吸引力の低下を防ぎ、積極的にフィルターに風を流すと共にフィルターのお手入れを容易に行なうことを可能とした電気掃除機を提供することにある。
【課題を解決するための手段】
【０００７】
上記目的を達成するために本発明の特徴とするところは、集塵室及び電動送風機を有する掃除機本体と、前記集塵室を開閉する蓋体と、該蓋体の裏面側に配置されたフィルターと、該フィルターを収納するフィルター保持部材を設け、前記フィルター保持部材に回動軸を設け、前記フィルター保持部材を前記蓋体に対して開閉自在に設けたことにある。
【０００８】
また、本発明の特徴とするところは、集塵室及び電動送風機を有する掃除機本体と、前記集塵室を開閉する蓋体と、該蓋体の裏面側に配置されたフィルターと、該フィルターを収納するフィルター保持部材を設け、前記フィルター保持部材は、前記フィルターを収納するフィルター収納部と吸引風の流れる流路空間とを有し、前記フィルター保持部材の前記流路空間の入口面積を前記流路空間の出口面積よりも大きくしたことにある。
【発明の効果】
【０００９】
本発明によれば、フィルター保持部材に回動軸を設けることによって、フィルター保持部材を開閉自在とすることで、フィルターをメンテナンスする際に簡単で、且つフィルター保持部材自体を紛失することなく取り付けることができる。
【００１０】
また、フィルター保持部材にフィルターを収納する部分に設けた吸引風の流れる流路空間の入口面積(上流側)を出口面積(下流側)よりも大きくすることによって、積極的にフィルターに風を流すことができる。
【発明を実施するための最良の形態】
【００１１】
以下、本発明に係る実施形態の一例を添付の図面に基づいて説明する。
【００１２】
図５は本実施形態の一例に係る電気掃除機の全体外観図である。
【００１３】
２０１は内部に集塵室及び電動送風機を内蔵する掃除機本体、３０１は床面上の塵埃を吸引するための吸口、３０２は一端側が吸口に接続され任意の長さに調整可能な延長管、３０３は一端側が延長管の他端側に接続され、他端側が掃除機本体２０１に接続されたホースである。吸口３０１から吸引された塵埃は延長管３０２、ホース３０３を通り掃除機本体２０１の集塵室内に集塵される。
【００１４】
図４は本実施形態の一例に係る電気掃除機の本体断面図である。掃除機本体２０１の内部には集塵室２０２、電動送風機２０３を設けており、集塵室２０２には吸引した塵埃を集塵する袋部材２０４が装着されている。袋部材２０４には硬質材料からなる枠体２０５を一体に設けており、この枠体２０５によって集塵室２０２に取り付けている。集塵室２０２上部には袋部材２０４を取出し可能に開閉可能な蓋体１０１を設けている。更に蓋体１０１の裏面側（内側）には吸引風を清潔に保つためのフィルター１０２を備え、このフィルター１０２はフィルター保持部材１０３で蓋体１０１の裏面側に取り付けられている。
【００１５】
図１は本実施形態の一例に係る電気掃除機の蓋体の中央断面図であり、(ａ)はフィルター保持部材１０３を閉じた時、(ｂ)はフィルター保持部材１０３を開いた時を示す図である。
【００１６】
図２は蓋体を裏面から見た斜視図である。フィルター１０２はフィルター保持部材１０３の内側にあるフィルターの収納部１０４に収納され、その外周には袋部材２０４（図示せず）が膨らんでも蓋体１０１内部と袋部材２０４の間で風の流れる流路が無くならないように流路空間１０５を設けている。流路空間１０５の入口１０６はフィルター１０２の前方に大きく開口して電動送風機２０４（図示せず）への風の流れを確保している。図２に図示した矢印の如く、吸引風はフィルター保持部材１０３の格子状の穴から入りフィルター収納部の排気口１０８から排気され電動送風機へ導かれる。これにより、蓋体１０１内部に設けたフィルター１０２へ積極的に風が流れて、袋部材から出た吸引風が抗菌や消臭等の効果を持ったフィルタ−１０２を用いた場合、フィルター１０２を通過した排気風を清潔にすることができる。同時に流路空間の入口１０６から流路空間１０５へ常に吸引風が導かれ、袋部材が膨らみ蓋体１０１内部へはりつくことによる、吸引流路現象が原因の吸引力の低下を防ぐことができる。
【００１７】
また、フィルター保持部材１０３に回動軸１０９を設け、且つ蓋体１０１内部
に回動軸受部１１０を設けフィルター保持部材１０３を開閉自在とすることにより、フィルターの収納部１０４に収納されたフィルター１０２をお手入れする際に、容易にフィルター１０２を取り出すことができる。また、フィルター１０２をお手入れする際にフィルター保持部材１０３を取り外す必要がないため、取り付ける際にフィルター保持部材１０３を紛失してしまったりすることがない。また、フィルター保持部材１０３の回動軸１０９を空気流路の下流側に構成することで蓋体１０１を開いた状態でフィルター保持部材１０３を開くと、フィルター保持部材１０３がフィルター１０２を受ける形態をとるのでフィルター１０２の集塵室２０２への落下を防止できる。また、フィルター保持部材１０３の回動軸１０９の空気流路に対して反対側に凸状の係止部１１２を設けまた、蓋体１０１のリブ１１１上に凹状の係合部１１３を設けることによって、フィルター保持部材１０３の回動軸１０９と反対側でフィルター保持部材１０３の開閉を係止することができ、フィルター１０２のお手入れ時の取り出しも容易に可能となる。
【００１８】
図３は本実施形態の一例に係る電気掃除機の蓋体の図(蓋体を内側から見た斜視図)である。流路空間の入口１０６はフィルターの収納部１０４の前方に大きく開口して比較的大きな断面積を確保している。また、流路空間の入口１０６はフィルター収納部の排気口１０８より断面積を大きく確保し、フィルター１０２へ積極的に風を流し、フィルター収納部の排気口１０８へ向かうにしたがって断面積を小さく絞っていくことによって、より密度の高い塵埃を含んだ空気をフィルター１０２へ確実に通すことによって、塵埃を通過して袋部材２０４から出た吸引風をより清潔にすることができる。また、風の流れを整流化することができる。更に、流路空間入口１０６からフィルター収納部排気口１０８へ向かって流路断面積を小さくすると同時に、フィルター保持部材１０３形状を下流側から上流側に対し略扇形状にし、積極的に吸引風をフィルター１０２に流すことができる。また、フィルター保持部材１０３略扇形状化に伴い、フィルター保持部材１０３形状に隣接する形状もフィルター保持部材１０３同様に略扇形状とすることによって、塵埃を通過して袋部材２０４からでた吸引風をより効率よく、フィルター収納部１０４のフィルター１０２へ通すことができる。
【００１９】
図６は本実施形態の一例に係る電気掃除機の本体断面図のフィルター保持部材周辺の部分拡大図である。袋部材２０４の枠体２０５は流路空間の入口１０６よりも電動送風機側（図示せず）へ位置しているので膨らんだ袋部材によって流路空間の入口１０６が塞がれることを防止している。また、流路空間の入口１０６から流路空間の排気口１０７までの長さ、つまり流路空間１０５の長さはフィルター収納部１０４よりも風の流れる方向（図示の矢印方向）に対して長く設けているので膨らんだ袋部材によって流路空間が塞がれることを防止している。
【００２０】
図７は本実施形態の一例に係る電気掃除機のフィルター保持部材の斜視図である。流路空間の入口１０６はフィルターの収納部１０４の前方に大きく開口して比較的大きく断面積を確保しているが、流路空間１０５はフィルターの収納部１０４の外周に位置し、本実施の形態では流路を２分岐している。流路空間の排気口１０７はフィルター１０２（図示せず）の後方に位置し、流路空間の入口１０６に対して断面積が小さいが複数個設けることにより電動送風機２０４（図示せず）への風の流れを確保している。これにより、集塵室内に集塵可能な塵埃の容積を比較的減らすこと無く、吸引力の低下を防ぐとともに積極的にフィルターに風を流すことができるので吸引風を清潔に保つことができる。
【００２１】
図８は本実施形態の一例に係る電気掃除機のフィルター保持部材を入口１０６側から見た斜視図であり、図９は本発明の実施の形態の一例に係る電気掃除機の蓋体にフィルター保持部材を取り付けた正面からの断面図である。フィルター保持部材１０３の流路空間入口１０６から見たときにフィルター保持部材１０３が蓋体１０１に対向するように集塵室側に向って中央部が膨らんだ略円弧形状を構成することにより、流路空間の入口１０６から流入する空気がフィルター保持部材構成上少スペースでも効率よく入口面積が確保できるので、より積極的に風をフィルター１０２へ通すことが可能となる。
【００２２】
また、膨らんだ袋部材２０４によってフィルター保持部材１０３が矢印の方向から押されることがあっても、略円弧形状を構成ことによって、フィルター保持部材１０３へかかる力を分散させることができ、強度確保のための肉厚構造や不要なリブを増やすことなく、薄肉化及び軽量化が可能となり、取扱性、生産性及び少資源化が図れる。
【００２３】
図１０は本実施形態の一例に係る電気掃除機のフィルター保持部材の斜視図である。金型のパーティングラインは図１０中に示すPLとしているが、キャビ、コアの掘り込み量が少ないため、サブマリンゲートを構成しにくい。軸方向のガタ止め１３０をタブ状に配設することで、この部分にサブマリンゲートを落とすことができ、生産性が向上する。また、回動軸１０９近傍に配設した突起部１３０の一部を回動軸方向外側へ突出させることにより、フィルター保持部材１０３の回動軸１０９のガタを突出量によって調整することができる。
【００２４】
図１１は本実施形態の一例に係る電気掃除機の蓋体の図(蓋体を内側から見た斜視図)である。蓋体１０１の内側に構成された回動軸受部１１０にフィルター保持部材１０３の回動軸１０９を組み込む際に、蓋体１０１に対しフィルター保持部材１０３は柔らかい部材(軟質部材)を用いることにより、蓋体１０１を破損することなく、容易に組み込むことができる。例えばフィルター保持部材１０３にＰＰ樹脂を用いることによって、フィルター保持部材１０３に無理な力を加えることなく、たわませて組み込むことができる。
【００２５】
図１２は本実施形態の一例に係る電気掃除機の本体外観図である。掃除機本体２０１に設けた蓋体１０１は略透明部材で成形して意匠性を向上させている。また、流路空間（図示せず）の外側に位置する部分に不透明部材６０１又はそれと同等の効果が得られる塗装(図示せず)、又はそれと同等の効果が得られるシボを設けているので外から流路空間を隠すことが可能で外観を損うことが無い。さらに、フィルター収納部分１０４の外側を不透明部材で覆っていないので、フィルターに紫外線などの外光が当たるため、外光を利用して活性化するフィルターなどの効果が有効に活用できる。
【００２６】
図１３は本実施形態の一例に係る蓋体を裏面側から見た斜視図である。蓋体１０１の裏面側へフィルター保持部材１０３を取り付ける際に、開閉する部分のフィルター保持部材１０３に係止部１１２を設け、また蓋体１０１の裏面側には係止部１１２と係合する係合部を設けている。
【００２７】
これにより回動軸１０９によりフィルター保持部材１０３を開閉する際に、構造的にも容易な方法でフィルター１０２を保持でき、お手入れする際にも、容易に開閉させることができる。
【００２８】
図１４は本実施形態の一例に係る電気掃除機のフィルター保持部材の斜視図である。図１４に示すようにフィルター保持部材１０３は、回動軸１０９の周方向にフィルター軸支持部１５１と、フィルターを保持するフィルター押え部１５３とを有している。そして、フィルター軸支持部１５１とフィルター押え部１５３とは、変曲部１５２を境にして鈍角θな位置に設けている。これによりフィルター押え部１５３からフィルター軸支持部１５１を介し回動軸１０９へより確実に力を伝えることが可能となり、フィルター保持部材１０３が薄肉構造をとり、取扱性向上を図ったときでも、フィルター押え部１５３に加えた外力も効率よくフィルター軸支持部１５１に伝達できると共に、フィルター保持部材１０３自体の構造的強度向上が図れる。
【図面の簡単な説明】
【００２９】
【図１】本実施形態の一例に係る電気掃除機の蓋体の中央断面図である。
【図２】本実施形態の一例に係る電気掃除機の蓋体内側の斜視図である。
【図３】本実施形態の一例に係る電気掃除機の蓋体内側の斜視図である。
【図４】本実施形態の一例に係る電気掃除機の本体断面図である。
【図５】本実施形態の一例に係る電気掃除機の本体外観図である。
【図６】本実施形態の一例に係る電気掃除機の本体断面図のフィルター保持部材周辺の部分拡大図である。
【図７】本実施形態の一例に係る電気掃除機のフィルター保持部材の斜視図である。
【図８】本実施形態の一例に係る電気掃除機のフィルター保持部材の斜視図である。
【図９】本実施形態の一例に係る電気掃除機の蓋体にフィルター保持部材を取り付けた正面からの断面図である。
【図１０】本実施形態の一例に係る電気掃除機のフィルター保持部材の斜視図である。
【図１１】本実施形態の一例に係る電気掃除機の蓋体内側の斜視図である。
【図１２】本実施形態の一例に係る電気掃除機の本体外観図である。
【図１３】本実施形態の一例に係る電気掃除機の蓋体内側の斜視図である。
【図１４】本実施形態の一例に係る電気掃除機のフィルター保持部材の斜視図である。
【符号の説明】
【００３０】
１０１…蓋体、１０２…フィルター、１０３…フィルター保持部材、１０４…収納部、１０５…流路空間、１０６…流路空間の入口、１０７…流路空間の排気口、１０８…フィルター収納部の排気口、１０９…回動軸、１１０…回動軸受部、１１１…リブ、１１２…係止部、１１３…係合部、１３０…突起、１５１…フィルター軸支持部、１５２…変曲部、１５３…フィルター押え部、２０１…掃除機本体、２０２…集塵室、２０３…電動送風機、２０４…袋部材、２０５…枠体、３０１…吸口、３０２…延長管、３０３…ホース。
【図１】
2006204549.tif 000003
【図２】
2006204549.tif 000004
【図３】
2006204549.tif 000005
【図４】
2006204549.tif 000006
【図５】
2006204549.tif 000007
【図６】
2006204549.tif 000008
【図７】
2006204549.tif 000009
【図８】
2006204549.tif 000010
【図９】
2006204549.tif 000011
【図１０】
2006204549.tif 000012
【図１１】
2006204549.tif 000013
【図１２】
2006204549.tif 000014
【図１３】
2006204549.tif 000015
【図１４】
2006204549.tif 000016